(57)【要約】【課題】  低温と中温と高温を確認できるようにする。【解決手段】  温度表示器１は、被測定物に取付けられるケース２と、ケース２内に一端側が取付けられ温度変化により収縮あるいは伸張する温度応動部材１０と、温度応動部材１０の他端側に取付けられ温度応動部材１０の収縮あるいは伸張によりケース２の軸心方向に変位する可動部材９と、可動部材９の一端側に取付けられ所定の低温以下になるとケース２から突出する低温表示部１１と、可動部材９の他端側に取付けられ所定の高温以上になるとケース２から突出する高温表示部１３と、温度応動部材１０の一定以上の収縮を防止する隔壁６（過収縮防止部材）とを有する。【選択図】      図１
2006194365.tif 000002
【特許請求の範囲】
【請求項１】
被測定物に取付けられるケースと、ケース内に一端側が取付けられ温度変化により収縮あるいは伸張する温度応動部材と、温度応動部材の他端側に取付けられ温度応動部材の収縮あるいは伸張によりケースの軸心方向に変位する可動部材と、可動部材の一端側に取付けられ所定の低温以下になるとケースから突出する低温表示部と、可動部材の他端側に取付けられ所定の高温以上になるとケースから突出する高温表示部と、温度応動部材の一定以上の収縮を防止する過収縮防止部材とを有することを特徴とする温度表示器。
【発明の詳細な説明】
【技術分野】
【０００１】
本発明は、蒸気や温水の配管やこれらの高温流体を制御する弁や機器等の被測定物に取り付けて、被測定物の温度の高低を表示する温度表示器に関する。高温流体の配管や弁や機器の温度が判ると、火傷予防に役立つばかりでなく、弁の作動状態や機器の運転状態を知ることができる。例えば、蒸気配管系から蒸気は逃がさずに復水を自動的に排出するスチームトラップの場合は、所定の温度範囲であれば中温で正常であるが、所定温度範囲よりも高温であれば蒸気が漏れている高温異常と推測でき、所定温度範囲よりも低温であれば排水不足や排水不能の状態である低温異常と推測できる。
【背景技術】
【０００２】
従来の温度表示器は、形状記憶合金で薄板を作り、その表面と裏面が別の色になるように着色し、所定温度よりも低温では薄板の表面が高温では変形して裏面が見えるように、上記薄板の一部を配管や弁の表面に固定したものである。
【０００３】
上記従来の温度表示器は、所定温度を境にして低温であるか高温であるかを表示するものであり、所定温度よりも低温の場合に中温で正常であるのか低温で異常であるのかを区別できず、所定温度よりも高温の場合に中温で正常であるのか高温で異常であるのかを区別できない問題点があった。
【特許文献１】実開昭６１−２１９４１号公報
【発明の開示】
【発明が解決しようとする課題】
【０００４】
解決しようとする課題は、低温と中温と高温を確認できるようにすることである。
【課題を解決するための手段】
【０００５】
本発明は、被測定物に取付けられるケースと、ケース内に一端側が取付けられ温度変化により収縮あるいは伸張する温度応動部材と、温度応動部材の他端側に取付けられ温度応動部材の収縮あるいは伸張によりケースの軸心方向に変位する可動部材と、可動部材の一端側に取付けられ所定の低温以下になるとケースから突出する低温表示部と、可動部材の他端側に取付けられ所定の高温以上になるとケースから突出する高温表示部と、温度応動部材の一定以上の収縮を防止する過収縮防止部材とを有することを特徴とする。
【発明の効果】
【０００６】
本発明は、温度応動部材の一定以上の収縮を防止する過収縮防止部材を有するものであるので、被測定物の温度が所定の低温よりも更に低下した場合あるいは所定の高温よりも更に上昇した場合に温度応動部材が過収縮することを防止できる。そのため、温度応動部材の塑性変形を防止でき、初期の良好な温度表示機能を長期に渡って維持できるという優れた効果を生じる。
【発明を実施するための最良の形態】
【０００７】
本発明は、所定の低温以下になると低温表示部がケースから突出し、所定の高温以上になると高温表示部がケースから突出するものである。そのため、低温表示部のケースからの突出を確認することにより所定の温度範囲よりも低温であることを確認でき、高温表示部のケースからの突出を確認することにより所定の温度範囲よりも高温であることを確認でき、低温表示部及び高温表示部のケースに対する没入を確認することにより所定の温度範囲の中温であることを確認できる。
【実施例１】
【０００８】
上記の技術的手段の具体例を示す実施例を説明する（図１と図２参照）。温度表示器１のケース２は断面がそれぞれ六角形の筒から成る左本体３と右本体４とから形成し、左本体３の右端部を右本体４の左端部に圧入して固定する。左本体３と右本体４は熱伝導率の高いアルミニウムで形成する。左本体３と右本体４はそれぞれ四角形等の多角形に形成したり円筒状に形成したりしてもよい。左本体３は中心に貫通孔５を開けた隔壁６を一体に有し、右本体４は中心に貫通孔７を開けた隔壁８を一体に有する。ケース２内に貫通孔５と貫通孔７を貫通して可動部材９を配置する。可動部材９は貫通孔５と貫通孔７に案内されてケース２の軸心方向に変位する。右本体４の隔壁８にバイメタルから成る温度応動部材１０の一端（右端）側を溶接して取付ける。可動部材９のほぼ中央部に温度応動部材１０の他端（左端）側を溶接して取付ける。可動部材の９一端（右端）側に断面がコの字状の低温表示部１１を止ねじ１２で取付け、可動部材９の他端（左端）側に断面がコの字状の高温表示部１３を止ねじ１４で取付ける。隔壁６は高温表示部１３の右方向への変位を規制することにより、温度応動部材１０の一定以上の収縮を防止する過収縮防止部材として機能する。隔壁８は低温表示部１１の左方向への変位を規制することにより、温度応動部材１０の一定以上の伸張を防止する過伸張防止部材として機能する。
【０００９】
バイメタルは熱膨張係数の異なる２種類の金属または合金を強固に一体に接着して板状に仕上げたもので、温度変化に応じて湾曲するものであり、本実施例の温度応動部材１０は、短冊状のバイメタル平板を螺旋状に巻いて作ったつる巻き形をもう一度螺旋状に巻いて２重つる巻き形に形成する。最初のつる巻き形のときに内側が低膨張材料に外側が高膨張材料に成るようにする。このつる巻き形の場合、高温になると半径が小さくなり長さが長くなり、低温になるとこれとは逆に作用する。そして、これを用いて作った２重つる巻き形の場合、高温になると半径が小さくなり長さが長くなり、低温になるとこれとは逆に作用する。
【００１０】
この温度表示器１を被測定物としての例えばバイメタル式スチームトラップ１５の外表面に例えば接着テープ１６で取付ける。温度応動部材１０はバイメタル式スチームトラップ１５の温度が低下すると収縮して可動部材９を右方向に変位させ、バイメタル式スチームトラップ１５の温度が上昇すると伸張して可動部材９を左方向に変位させる。バイメタル式スチームトラップ１５が正常に作動し、例えば６５度Ｃ乃至７５度Ｃ前後の設定温度以下の復水を自動的に排出していると、低温表示部１１と高温表示部１３は共にケース２内に没入している。これにより、正常であると確認できる。バイメタル式スチームトラップ１５が排水不足や排水不能の状態となり所定の低温例えば６０度Ｃ以下になると、温度応動部材１０が収縮して可動部材９が右方向に変位し、高温表示部１３はケース２内に没入しているが、低温表示部１１がケース２から突出する。これにより、排水不足や排水不能の状態である低温異常を確認できる。バイメタル式スチームトラップ１５の温度が所定の低温よりも更に低下し例えば５０度Ｃになると、高温表示部１３が隔壁６に当接し、温度応動部材１０の過収縮が防止される。バイメタル式スチームトラップ１５が設定温度以上の復水や蒸気を漏洩し所定の高温例えば８０度Ｃ以上になると、温度応動部材１０が伸張して可動部材９が左方向に変位し、低温表示部１１はケース２内に没入しているが、高温表示部１３がケース２から突出する。これにより、蒸気が漏れている高温異常を確認できる。バイメタル式スチームトラップ１５の温度が所定の高温よりも更に上昇し例えば９０度Ｃになると、低温表示部１１が隔壁８に当接し、温度応動部材１０の過伸張が防止される。
【図面の簡単な説明】
【００１１】
【図１】本発明の実施例の温度表示器の断面図。
【図２】本発明の実施例の温度表示器をバイメタル式スチームトラップに取付けた状態を示す正面図。
【符号の説明】
【００１２】
１  温度表示器
２  ケース
３  左本体
４  右本体
５  貫通孔
６  隔壁（過収縮防止部材）
７  貫通孔
８  隔壁（過伸張防止部材）
９  可動部材
１０  温度応動部材
１１  低温表示部
１３  高温表示部
１５  バイメタル式スチームトラップ
１６  接着テープ
【図１】
2006194365.tif 000003
【図２】
2006194365.tif 000004